(57)【特許請求の範囲】
【請求項１】
第１共振周波数を有する検出器ロジックであって、該検出器ロジックは、電力管理信号周波数を有する電力管理信号を受信し、該検出器ロジックは、該電力管理信号周波数が前記第１共振周波数の第１周波数差内にあるかどうかの指示を提供する、検出器ロジックと、
前記電力管理信号周波数が前記第１共振周波数の第１周波数差内にあるという指示に応答して、第１スイッチング信号をアクティブにして、電力アダプタ回路に、第１電圧から該第１電圧とは異なる第２電圧に出力電圧を変化させるスイッチ信号ロジックと、を含む装置。
【請求項２】
交流（Ａ．Ｃ．）を入力して、複数の選択可能な出力電圧から選択された出力電圧で直流（Ｄ．Ｃ．）を出力する前記電力アダプタ回路をさらに含み、
前記第１スイッチング信号の受信に応答して、前記電力アダプタ回路は前記第１電圧から前記第２電圧に前記出力電圧を変化させるものである、請求項１に記載の装置。
【請求項３】
前記電力アダプタ回路は、前記出力電圧をユニバーサルシリアルバス（ＵＳＢ）コネクタに供給するものである、請求項２に記載の装置。
【請求項４】
前記ＵＳＢコネクタをさらに含む、請求項３に記載の装置。
【請求項５】
前記電力管理信号周波数の、前記第１共振周波数の第１周波数差内にある第１周波数から、前記第１共振周波数の第１周波数差外にある第２周波数への変化に応答して、前記スイッチ信号ロジックは、前記第１スイッチング信号を非アクティブにするものであり、
前記第１スイッチング信号が非アクティブにされると、前記出力電圧が前記第２電圧から前記第１電圧に変化するものである、請求項１に記載の装置。
【請求項６】
前記第２電圧は、前記第１電圧よりも大きい、請求項１に記載の装置。
【請求項７】
前記第１電圧は略５ボルトであり、前記第２電圧は略１２ボルトである、請求項６に記載の装置。
【請求項８】
前記検出器ロジックは第２共振周波数を有し、
前記検出器ロジックは、前記電力管理信号周波数が前記第２共振周波数の第２周波数差内にあるかどうかの指示を提供するものであり、
前記電力管理信号周波数が前記第２共振周波数の第２周波数差内にあるという指示に応答して、前記スイッチ信号ロジックは、第２スイッチング信号をアクティブにして、前記電力アダプタ回路に、前記第１電圧と異なり、かつ前記第２電圧と異なる第３電圧を出力させるものである、請求項１に記載の装置。
【請求項９】
前記電力管理信号周波数が前記第１共振周波数の第１周波数差内にあるという指示を認識すると、前記スイッチ信号ロジックは、前記検出器ロジックが電力管理信号を検出することが可能になったときに開始するブランク時間間隔の終了後に、前記電力アダプタ回路に前記第１電圧から前記第２電圧に前記出力電圧を変化させるものである、請求項１に記載の装置。
【請求項１０】
前記検出器ロジックは、前記第１共振周波数である共振周波数を有する共振回路を含む、請求項１から９のいずれか一項に記載の装置。
【請求項１１】
前記共振回路は、インダクタ−キャパシタ（Ｌ−Ｃ）タンク回路を含む、請求項１０に記載の装置。
【請求項１２】
検出器ロジックで、電力管理信号周波数を有する電力管理信号を受信するステップと、
前記電力管理信号周波数が第１共振周波数の第１周波数差内にあるかどうかを決定するステップと、
前記電力管理信号周波数が前記第１共振周波数の第１周波数差内にあることに応答して、電力回路の出力電圧を第１出力電圧から、該第１出力電圧とは異なる第２出力電圧に切り替えさせるようにするものである第１指示を提供するステップと、を含む方法。
【請求項１３】
前記電力回路の出力電圧が前記第２出力電圧に切り替えられた後に、前記電力管理信号周波数が前記第１共振周波数の第１周波数差の範囲外にある第２電力管理信号周波数に変化するのに応答して、前記電力回路の出力電圧を前記第１出力電圧に切り替えるようにする第２指示を提供するステップをさらに含む、請求項１２に記載の方法。
【請求項１４】
前記電力管理信号周波数が前記第１共振周波数の第１周波数差内にあるとき、前記電力回路の出力電圧は、ブランク時間間隔が終了すると、前記第１出力電圧から前記第２出力電圧に切り替えられるものである、請求項１２に記載の方法。
【請求項１５】
前記第２出力電圧は、前記第１出力電圧よりも高い、請求項１２に記載の方法。
【請求項１６】
前記電力管理信号周波数が第２共振周波数の第２周波数差内にあるかどうかを決定するステップと、
前記電力管理信号周波数が前記第２共振周波数の第２周波数差内にあることに応答して、前記電力回路の出力電圧を、前記第１出力電圧と異なり、かつ前記第２出力電圧と異なる第３出力電圧に変化させるものである第２指示を提供するステップと、をさらに含む、請求項１２に記載の方法。
【請求項１７】
請求項１２から１６のいずれか一項に記載の方法を実施する装置。
【請求項１８】
プロセッサによって実行されると、前記プロセッサが、
電力管理ロジックで、電力管理信号周波数を有する電力管理信号を受信し、
前記電力管理信号周波数が第１共振周波数の第１周波数差内にあるかどうかを決定し、
前記電力管理信号周波数が前記第１共振周波数の第１周波数差内にあることに応答して、電力回路の出力電圧を第１出力電圧から該第１出力電圧とは異なる第２出力電圧に切り替える、ようにするプロセッサ実行可能なプログラム。
【請求項１９】
前記プロセッサが、さらに、前記電力回路の出力電圧が前記第２出力電圧に切り替えられた後に、前記電力管理信号周波数が前記第１共振周波数の第１周波数差の範囲外にある第２電力管理信号周波数に変化するのに応答して、前記電力回路の出力電圧を前記第１出力電圧に切り替える、ようにする請求項１８に記載のプログラム。
【請求項２０】
前記プロセッサが、さらに、前記電力管理信号周波数が前記第１周波数差の範囲内にあるときに、前記電力回路の出力電圧を前記第２出力電圧に切り替える前に、ブランク時間間隔が終了するのを待つ、ようにし、
前記ブランク時間間隔は、前記電力管理信号周波数が前記第１共振周波数の前記第１周波数差内にあるという決定の最初の時間に開始する、請求項１８に記載のプログラム。
【請求項２１】
前記プロセッサが、さらに、
前記電力管理信号周波数が第２共振周波数の第２周波数差内にあるかどうかを決定し、
前記電力管理信号周波数が前記第２共振周波数の第２周波数差内にあることに応答して、前記電力回路の出力電圧を前記第１出力電圧及び前記第２出力電圧とは異なる第３出力電圧に変化させる、ようにする請求項１８から２０のいずれか一項に記載のプログラム。
【請求項２２】
電力管理信号周波数を有する電力管理信号を受信する手段と、
前記電力管理信号周波数が第１共振周波数の第１周波数差内にあるかどうかを決定する手段と、
前記電力管理信号周波数が前記第１共振周波数の第１周波数差内にあることに応答して、電力回路の出力電圧を第１出力電圧から、該第１出力電圧とは異なる第２出力電圧に切り替えるようにする第１指示を提供する手段と、を含む装置。
【請求項２３】
前記電力回路の出力電圧が前記第２出力電圧に切り替えられた後に、前記電力管理信号周波数が前記第１共振周波数の第１周波数差の範囲外にある第２電力管理信号周波数に変化するのに応答して、前記電力回路の出力電圧を前記第１出力電圧に切り替えさせるようにするものである第２指示を提供する手段をさらに含む、請求項２２に記載の装置。
【請求項２４】
周波数帯域内で選択可能な信号周波数を有する信号を生成する周波数生成ロジックと、
前記信号を電源に出力する第１ピンと、
前記電源からの第１電圧で第１電力を受ける第２ピンと、
前記周波数生成ロジックによって前記第１ピンに供給された電流を測定する電流測定ロジックと、を含み、
前記周波数生成ロジックは、前記周波数帯域内で前記信号周波数を変化させるものであり、
前記信号周波数が前記周波数帯域の第１周波数に近接しているときに、前記電流測定ロジックによって検出された前記電流における第１増加に応答して、前記周波数生成ロジックは、該第１周波数に近接した第１ロック周波数で前記信号周波数をロックし、前記第２ピンは前記電源から第２電圧で第２電力を受けるものである、装置。
【請求項２５】
前記第１ピン及び前記第２ピンを含むユニバーサルシリアルバス（ＵＳＢ）ポートをさらに含み、
前記ＵＳＢポートは、前記電源のＵＳＢコネクタに結合する、請求項２４に記載の装置。
【請求項２６】
請求項１８から２１のいずれか一項に記載のプログラムを記憶しているコンピュータ読み取り可能媒体。
【発明の詳細な説明】
【技術分野】
【０００１】
技術分野は、電力供給である。
【背景技術】
【０００２】
タブレットコンピュータ、携帯電話等のポータブルデバイス（ＰＤ）は、データ転送と同様に充電のためにマイクロユニバーサルシリアルバス（ＵＳＢ）ポート又はタイプＣのＵＳＢポートを使用することがある。例えば、マイクロＵＳＢ又はタイプＣのＵＳＢポートを通じた充電は、５Ｖ、１．５Ａ（例えば、７．５Ｗ）で行われることがあり、充電に長い時間がかかることがある。さらに、デバイスが充電されている間にアクティブである場合、充電中にデバイスがアクティブでない場合よりも充電時間が長くなることがある。
【図面の簡単な説明】
【０００３】
【図１】図１は、本発明の実施形態による、装置のブロック図である。
【０００４】
【図２】図２は、本発明の他の実施形態による、装置のブロック図である。
【０００５】
【図３】図３は、本発明の実施形態による、方法のフロー図である。
【０００６】
【図４】図４は、本発明の他の実施形態による、方法のフロー図である。
【発明を実施するための形態】
【０００７】
実施形態では、交流（ＡＣ）電力アダプタは、例えば、標準（本明細書では、「通常」ともいう）速度（standard  rate）（例えば、５Ｖ、１．５アンペア）及び標準速度よりも高い速度で選択可能な速度で電源によるポータブルデバイスの充電を可能にし得る検出装置を含むことができる。実施形態は、比較的低コストの実装で、ＡＣ電力アダプタに集積回路を追加することなく、標準速度よりも高い速度で充電することを可能にすることができる。
【０００８】
実施形態では、ポータブルデバイスハンドシェイクを利用し、第１電圧レベル、例えば５Ｖから第２電圧レベル（例えば１２Ｖ）へのＵＳＢ充電電圧の増加を可能にするＵＳＢ専用充電ＡＣアダプタにより、ＵＳＢポートを介したポータブルデバイスのより高速な充電をもたらすことができる。ＡＣアダプタによる互換性のあるポータブルデバイスの検出が、所定の周波数で共振するインダクタ−キャパシタ（Ｌ−Ｃ）タンク回路を介して実現されることができる。互換性のあるポータブルデバイスを識別するためにＬ−Ｃタンク回路を使用することは、例えば、互換性のあるポータブルデバイスを識別するためにＡＣアダプタ内に専用集積回路（ＩＣ）を使用することよりも低コストで実装されることができる。いくつかの実施形態では、複数のＬ−Ｃタンク回路が採用されて、例えば、ＵＳＢ通信に影響を与えることなく、複数の電圧レベルのうちのいずれか任意で充電を可能にすることができる。より高い電圧レベルでの充電は、ポータブルシステムがシャットダウンモードであるかアクティブモードであるかにかかわらず可能にされることができる。１つ以上のＬ−Ｃタンク回路の使用は、例えば、ＵＳＢ  ＢＣ１．２及びＵＳＢ電力供給（ＰＤ）仕様と互換性があり得る。
【０００９】
図１は、本発明の一実施形態による装置１００のブロック図である。装置１００は、ＵＳＢ  ＡＣアダプタ１１０と、電力管理ロジック１２０及びシステムオンチップ（ＳＯＣ）１３０を含むポータブルデバイス１５０と、を含む。ＵＳＢ  ＡＣアダプタ１１０は、ＵＳＢコネクタ１４０を介してポータブルデバイス１５０に接続されるものである。
【００１０】
ＵＳＢ  ＡＣアダプタ１１０は、ＡＣ／ＤＣ変換器１１２及び検出器１１４を含む。ポータブルデバイス１５０において、電力管理ロジック１２０は、ＵＳＢ充電器インターフェース１２２と、ステータス／構成レジスタ１２４と、ＵＳＢスイッチ１２６と、信号生成器ロジック１５２と、電流計１５４（例えば、電流測定ロジック）と、ＵＳＢポート１４０と、を含む。ＵＳＢポート１４０は、例えば、マイクロＡＢポート、タイプＣポート又は他のＵＳＢポートとすることができる。
【００１１】
実施形態では、ＵＳＢポート１４０を通じた第１充電電圧から（例えば、より高い）第２充電電圧への充電電圧の変化は、以下のように起こり得る（他の実施形態では、アクションが実行される順番が異なることがある）。
【００１２】
ＵＳＢ  ＡＣアダプタ１１０は、ＡＣ電源１０２に接続されることができる。ＵＳＢ  ＡＣアダプタ１１０がＡＣ電源１０２に結合されると、ＵＳＢ  ＡＣアダプタ１１０は、ＵＳＢポート１４０に第１電圧（例えば、５Ｖ）を駆動することができる。任意で、（例えば、ＵＳＢポート１４０から出力され、ライン１４２で検出される）  ＵＳＢ  ＡＣアダプタ１１０のＣＣピンでアップストリームフェーシングポート（ＵＦＰ）プルダウンが検出された後にのみ、電力導管ＶＢＵＳ１２２がイネーブル（enabled）されることができる。いくつかの実施形態では、ＵＳＢ  ＡＣアダプタ１１０はＢＣ１．２ＤＣＰアダプタのように動作し、ＢＣ１．２  ＤＣＰアダプタ仕様に準拠する。
【００１３】
ポータブルデバイス１５０は、ＵＳＢ  ＡＣアダプタ１１０が専用充電器であることを検出することができる。ＵＳＢタイプＢ又はタイプＡＢの場合、Ｄ＋／Ｄ−ライン１１８／１１９が、電圧ネゴシエーションのために利用可能であり得る。ＵＳＢポート１６０などのタイプＣのＵＳＢポートが使用される場合、Ｄ＋、Ｄ−、ＣＣ、ＳＢＵ１、ＳＢＵ２、ＲＸ１＋、ＲＸ１−、ＲＸ２＋、ＲＸ２−、ＴＸ１＋、ＴＸ１−、ＴＸ２＋又はＴＸ２−のうちの一つが電圧ネゴシエーションのために利用可能であり得る。ポータブルデバイス１５０は、通常充電電圧で充電を開始する。いくつかの実施形態では、通常充電電圧は約５ボルトである。
【００１４】
信号生成器ロジック１５２は、信号（例えば、矩形波信号）を生成し、充電器インターフェース１２２を介して利用可能なライン（例えば、タイプＢ又はタイプＡＢについては、Ｄ＋１１８又はＤ−１１９ラインであり、タイプＣについては、上記に列挙したラインのうちの任意の利用可能なライン）に、定義された周波数帯域内でインクリメントされ得る信号周波数で、その信号を送信する。信号は、ＵＳＢ  ＡＣアダプタ１１０に通信されてもよい。信号周波数は、最小周波数から開始することができ、周波数は、インクリメントステップで増加されることができる（本明細書では、例えば、周波数スイープ（frequency  sweep）又は周波数駆動という）。
【００１５】
ポータブルデバイス１５０は、例えば、電流計１５４によって検出されるように、信号生成器ロジック１５２によって供給される電流の変化を介して、周波数スイープ中の共振負荷（resonant  load）を検出することができる。ポータブルデバイス１５０は、ＵＳＢ  ＡＣアダプタの検出器１１４内に位置したタンク回路の共振周波数又はその近くの信号周波数で微調整し、ロックすることができる。共振負荷が見つからない場合、ポータブルデバイス１５０は、例えば、通常の充電電圧で、通常の充電を継続する。
【００１６】
いくつかの実施形態では、共振又は共振に近いところ（例えば、タンク回路の共振周波数を含み、周波数差によって共振周波数の上下に拡張し得る周波数帯域内にある信号周波数）では、ＵＳＢ  ＡＣアダプタ１１０でのＬＣタンク回路の電圧は、駆動電圧の複数倍（例えば、３．３Ｖから５Ｖより高いものへの増加）に増加し得る。この電圧における増加は、タンク回路の共振周波数又はそれに近接したところで生じることがある。増加した電圧は、例えば、検出器１１４内の電界効果トランジスタ（ＦＥＴ）を活性化してＡＣアダプタ出力電圧を変化させるために使用されることができる。共振でのより高い電圧は、充電電圧が（例えば、より高い出力電圧に）変化し得ることを示す指標として役立つことができる。共振及びその結果として生じるより高い共振回路電圧は、他の通信波形によって容易に混同されない別個の挙動であり得る。
【００１７】
明確な共振周波数は、複数の高電圧レベルの各々に割り当てられることができ、その各々は、検出器１１４内の対応するＬ−Ｃタンク回路を有することができる。いくつかの実施形態において、ＵＳＢ  ＡＣアダプタ１１０は、複数の出力電圧レベルをサポートすることができる。
【００１８】
ポータブルデバイス１５０は、ＶＢＵＳ１２２／１４２上でＵＳＢ  ＡＣアダプタ１１０からの所望の出力電圧（例えば、より高い充電電圧）をチェックすることができる。所望の出力電圧がブランク時間間隔の終了前にＵＳＢポート１４０を介してＵＳＢ  ＡＣアダプタ１１０から利用可能である場合、より高い速度でのポータブルデバイス１５０の充電が可能になる。所望の出力電圧がブランク時間間隔の終了前に利用可能でない場合、ポータブルデバイス１５０は周波数スイープを中止し、例えば、通常充電電圧で、通常の充電を継続することができる。一実施形態では、通常の充電電圧は約５ボルトである。
【００１９】
ＵＳＢ  ＡＣアダプタ１１０がポータブルデバイス１５０から取り外された（unplugged）場合、信号がＵＳＢ  ＡＣアダプタ１１０から切断されるので、アダプタ出力電圧は通常電圧（例えば、５Ｖ）に減少することができる。充電電圧を初期電圧まで減少させる前にタイムアウト遅延が有り得る。いくつかの実施形態では、タイムアウト遅延は、あるデバイス及びプラグからコネクタ（例えば、ＵＳＢコネクタ１４０）を取り外して、ＢＣ１．２仕様と互換性を有する他のデバイスに差し込むまでに必要な最短実用時間よりも短くすることができる。
【００２０】
ＵＳＢ  ＡＣアダプタ１１０が切断されると、ポータブルデバイス１５０は信号（例えば矩形波信号）を切断し、通常のポート機能を再開することができる。
【００２１】
図２は、本発明の他の実施形態によるＵＳＢ  ＡＣアダプタ２００のブロック図である。ＵＳＢ  ＡＣアダプタ２００は、ＡＣ／ＤＣ変換器２１０と、検出器２２０と、を含むことができる。ラインＤ＋２３２、Ｄ−２３４、ＶＢＵＳ２３６及びＣＣ２３８も示している（他の実施形態では、タイプＣのＵＳＢポートの使用に対しては、タイプＣのＵＳＢポートから利用可能なラインが電圧ネゴシエーションに利用されることができる）。
【００２２】
動作の際、ＵＳＢ  ＡＣアダプタ２００は、例えば、ＡＢ  ＵＳＢポート若しくはマイクロ／タイプＣプラグ又は他のＵＳＢプラグである、ＵＳＢプラグ２４０を介してポータブルデバイス（図示せず）に結合するように適合／構成されている。（ＵＳＢプラグ２４０を介して）ポータブルデバイスによってＵＳＢ  ＡＣアダプタ２００を検出すると、信号（例えば、矩形波信号）が、ラインＤ＋２３２、Ｄ−２３４のうちの一つ又は（例えば、タイプＣのＵＳＢポートについては）他の利用可能なラインを介して検出器２２０で受信されることができる。受信された信号は、時間とともに変化する周波数ｆｓｉｇｎａｌを有することができ、例えば、決定された周波数帯域内でスイープする（例えば、周波数帯域の最小周波数から最大周波数までスイープする）。
【００２３】
検出器２２０内のＬ−Ｃタンク回路２２２は、この信号を「見る」ことができる。Ｌ−Ｃタンク回路２２２は、インダクタＬ及びキャパシタＣの値によって決定される共振周波数ｆに同調されることができる。変化する周波数ｆｓｉｇｎａｌが共振周波数ｆに近づくにつれて、ＬＣタンク回路２２２にわたる電圧が増加し、周波数ｆｓｉｇｎａｌが共振周波数から徐々に遠ざかる値に変化するにつれて、ＬＣタンク回路２２２にわたる電圧は、定常値（steady  value）に減少し得る。ポータブルデバイスは、（例えば、ポータブルデバイス１５０内の）信号生成器ロジックから出力された電流を測定することによってＬＣタンク回路２２２内の共振を検出することができ、共振が検出されると、ポータブルデバイス１５０内の信号生成器ロジックは、共振が検出された周波数範囲に戻り、共振周波数ｆ（例えば、共振周波数ｆの決定された周波数差内である。決定された周波数差は、共振周波数ｆより低い周波数及び共振周波数ｆより高い周波数を有する周波数帯域を形成する）又は、これの近くにロックすることができる。ダイオード２２４は、ＡＣ電圧をＤＣ信号に整流することができ、抵抗−キャパシタ（ＲＣ）回路２２６は、電界効果トランジスタ（ＦＥＴ）２２８が起動される前に、共振周波数ｆでの電圧が最小Ｒ−Ｃ時定数で持続する（persists  for）ことを確保する。ＦＥＴ２２８が起動すると、ＡＣ／ＤＣロジック２１０は、第１充電電圧から第２充電電圧に切り替わることができ、例えば、第２充電電圧は第１充電電圧よりも高くすることができる。充電電圧は、ＶＢＵＳ２３６を介してポータブルデバイスに供給されることができる。
【００２４】
他の実施形態は、複数のＬ−Ｃタンク回路を含むことができ、各Ｌ−Ｃタンク回路は、対応する共振周波数に同調される。各共振周波数は、ＡＣ／ＤＣロジック２１０によって供給される別個の充電電圧に関連することができ、特定の充電電圧は、所望の充電電圧に関連するＬ−Ｃタンク回路の対応する共振周波数と実質的に同じ（又は、これに近接した）周波数ｆｓｉｇｎａｌに信号周波数（例えば、ポータブルデバイスによって供給される）をロックすることによって起動され得る。
【００２５】
図３は、本発明の実施形態による、方法のフロー図３００である。決定菱形３０２では、ポータブルデバイスが、ＵＳＢポートのＵＳＢポートＶＢＵＳ（例えば、充電ライン）が有効であることを検出する場合、ブロック３０４に続き、ポータブルデバイスによる（例えば、ＢＣ１．２仕様に従って）検出が開始される。決定菱形３０６に進み、専用の充電器が検出されない場合、ブロック３０８に移動して、通常のポータブルデバイス機能が固定出力電圧充電器に結合されたポータブルデバイス（ＰＤ）に対して継続される。専用の（例えば、多レベル電圧）充電器が検出される場合、ブロック３１０に移動して、信号（例えば、矩形波信号）がＵＳＢポートのフリーピンに印加される。信号は、周波数帯域にわたってスイープされることができる関連周波数を有する。例えば、スイープは、周波数帯域の最小周波数から周波数帯域の最大周波数までとすることができる。
【００２６】
決定菱形３１２に進み、共振（例えば、電流測定ロジックを介して検出され得るＵＳＢ  ＡＣアダプタ回路に関連する共振）がポータブルデバイスによって検出されない場合、ブロック３１４を続けて、信号が停止され、標準充電電圧での充電が継続される。決定菱形３１２で、共振がポータブルデバイスで検出された場合（例えば、信号生成器ロジックによって供給される電流の測定によって）、ブロック３１６を続けて、周波数スイープが停止され、例えば、共振周波数よりも高い周波数及び共振周波数よりも低い周波数を含む周波数帯域内において、信号の周波数が共振周波数、又はこれの近くでロックされる。例えば、周波数帯域は、共振周波数の規定周波数差内の周波数を含むことができる。
【００２７】
ブロック３１８に進み、ＶＢＵＳがポータブルデバイスに所望の充電電圧を供給していない場合、決定菱形３２０に進み、ブランク時間間隔が終了していない場合、ＶＢＵＳは所望の充電電圧について再度チェックされる（いくらかの時間が充電電圧が切り替えられる前に経過してよい）。ブランク時間間隔が終了し、所望の充電電圧がＶＢＵＳを介して供給されていない場合、ブロック３１４に進み、信号が停止され、通常の充電電圧で充電が継続される。
【００２８】
決定菱形３１８で、ＶＢＵＳが所望の充電電圧を供給している場合、ブロック３２２を続けて、所望の速度（例えば、通常速度よりも速い速度）での充電が可能となる。決定菱形３２４に進み、ＶＢＵＳがモニタされて、所望の充電電圧がＶＢＵＳを介して供給されていることを確認する。所望の充電電圧が供給されていない場合、ブロック３２６に進み、信号が停止され、充電が中断され（halted）、割込みが生成されて、障害が発生したことを示すために、例えば、ポータブルデバイスのチップ（ＳＯＣ）上のシステムに送信される。
【００２９】
図４は、本発明の他の実施形態による方法４００のフロー図である。決定菱形４０２では、ＵＳＢ  ＡＣアダプタがＡＣ電力に差し込まれている場合、ブロック４０４を続けて、ＵＳＢ  ＡＣアダプタは、ポータブルデバイスに結合されたＵＳＢポートに充電電圧を伝送する出力バスであるＶＢＵＳに、標準（例えば、通常）電圧（例えば、５Ｖ）を駆動するものである。決定菱形４０６に進み、ＵＳＢ  ＡＣアダプタが信号の共振周波数を検出する場合（共振周波数は、ＵＳＢ  ＡＣアダプタの共振タンク回路に対応し、その信号（例えば、矩形波信号）は、ポータブルデバイスによって、選択ＵＳＢピン（例えば、Ｄ＋、Ｄ−又は他の利用可能なピン）上に供給される）、決定菱形４０８に進み、ブランク時間間隔が終了している場合、ブロック４１０を続けて、所望の充電電圧（例えば、高充電電圧）がＶＢＵＳ上で可能となる。ブランク時間がまだ満了していない場合、決定菱形４０８に戻り、ブランク時間間隔が終了すると、ブロック４１０に進み、所望の充電電圧がＶＢＵＳ上で可能となる。
【００３０】
決定菱形４１２に進み、共振周波数（例えば、共振周波数又は、これに近い周波数を有し、ポータブルデバイスからＵＳＢ  ＡＣ充電器で受信された信号）が、ポータブルデバイスが信号を供給した選択ＵＳＢピン上で検出される限り、所望の充電電圧（例えば、高電圧）が、ＶＢＵＳを介してＵＳＢ  ＡＣ充電器によって供給され続けることになる。共振周波数（又は、共振周波数に近接した周波数を有する信号）が選択ＵＳＢピン上で検出されない場合、決定菱形４１４に進み、ブランク時間間隔が終了していない場合、決定菱形４１２に戻り、ＵＳＢ  ＡＣアダプタは、共振周波数が選択されたピン上にあるかどうかの決定を続ける。ブランク時間間隔が終了している場合、ブロック４０４に戻り、ポータブルデバイスの充電のために標準電圧がＶＢＵＳを介して再度供給される。
【００３１】
追加の実施形態は下記に説明する。
【００３２】
実施形態１は、第１共振周波数を有する検出器ロジックであって、該検出器ロジックは、電力管理信号周波数を有する電力管理信号を受信し、該検出器ロジックは、該電力管理信号周波数が前記第１共振周波数の第１周波数差内にあるかどうかの指示を提供する、検出器ロジックと、前記電力管理信号周波数が前記第１共振周波数の第１周波数差内にあるという指示に応答して、第１スイッチング信号をアクティブにして、電力アダプタ回路に、第１電圧から該第１電圧とは異なる第２電圧に出力電圧を変化させるスイッチ信号ロジックと、を含む装置である。
【００３３】
実施形態２は、実施形態１の要素を含み、交流（Ａ．Ｃ．）を入力して、複数の選択可能な出力電圧から選択された出力電圧で直流（Ｄ．Ｃ．）を出力する前記電力アダプタ回路をさらに含み、前記第１スイッチング信号の受信に応答して、前記電力アダプタ回路は前記第１電圧から前記第２電圧に前記出力電圧を変化させるものである。
【００３４】
実施形態３は、実施形態２の要素を含み、前記電力アダプタ回路は、前記出力電圧をユニバーサルシリアルバス（ＵＳＢ）コネクタに供給するものである。
【００３５】
実施形態４は、実施形態３の要素を含み、前記ＵＳＢコネクタをさらに含む。
【００３６】
実施形態５は、実施形態１の要素を含み、前記電力管理信号周波数の、前記共振周波数の第１周波数差内にある第１周波数から、前記共振周波数の第１周波数差外にある第２周波数への変化に応答して、前記スイッチ信号ロジックは、前記第１スイッチング信号を非アクティブにするものであり、前記第１スイッチング信号が非アクティブにされると、前記出力電圧が前記第２電圧から前記第１電圧に変化するものである。
【００３７】
実施形態６は、実施形態１の要素を含み、前記第２電圧は、前記第１電圧よりも大きい。
【００３８】
実施形態７は、実施形態６の要素を含み、前記第１電圧は約５ボルトであり、前記第２電圧は約１２ボルトである。
【００３９】
実施形態８は、実施形態１の要素を含み、前記検出器ロジックは第２共振周波数を有し、
前記検出器ロジックは、前記電力管理信号周波数が前記第２共振周波数の第２周波数差内にあるかどうかの指示を提供するものであり、
前記電力管理信号周波数が前記第２共振周波数の第２周波数差内にあるという指示に応答して、前記スイッチ信号ロジックは、第２スイッチング信号をアクティブにして、前記電力アダプタ回路に、前記第１電圧と異なり、かつ前記第２電圧と異なる第３電圧を出力させるものである。
【００４０】
実施形態９は、実施形態１の要素を含み、前記電力管理信号周波数が前記第１共振周波数の第１周波数差内にあるという指示を認識すると、前記スイッチ信号ロジックは、検出器ロジックが電力管理信号を検出することが可能になったときに開始するブランク時間間隔の終了後に、前記電力アダプタ回路に前記第１電圧から前記第２電圧に前記出力電圧を変化させるものである。
【００４１】
実施形態１０は、実施形態１の要素を含み、前記検出器ロジックは、前記第１共振周波数である共振周波数を有する共振回路を含む。
【００４２】
実施形態１１は、実施形態１０の要素を含み、前記共振回路は、インダクタ−キャパシタ（Ｌ−Ｃ）タンク回路を含む。
【００４３】
実施形態１２は、検出器ロジックで、電力管理信号周波数を有する電力管理信号を受信するステップと、前記電力管理信号周波数が第１共振周波数の第１周波数差内にあるかどうかを決定するステップと、前記電力管理信号周波数が前記第１共振周波数の第１周波数差内にあることに応答して、電力回路の出力電圧を第１出力電圧から、該第１出力電圧とは異なる第２出力電圧に切り替えさせるようにするものである第１指示を提供するステップと、を含む方法である。
【００４４】
実施形態１３は、実施形態１２の要素を含み、前記電力回路の出力電圧が前記第２出力電圧に切り替えられた後に、前記電力管理信号周波数が前記第１共振周波数の第１周波数差の範囲外にある第２電力管理信号周波数に変化するのに応答して、前記電力回路の出力電圧を前記第１出力電圧に切り替えるようにする第２指示を提供するステップをさらに含む。
【００４５】
実施形態１４は、実施形態１２の要素を含み、前記電力管理信号周波数が前記第１共振周波数の第１周波数差内にあるとき、前記電力回路の出力電圧は、ブランク時間間隔が終了すると、前記第１出力電圧から前記第２出力電圧に切り替えられるものである。
【００４６】
実施形態１５は、実施形態１２の要素を含み、前記第２出力電圧は、前記第１出力電圧よりも高い。
【００４７】
実施形態１６は、実施形態１２の要素を含み、前記電力管理信号周波数が第２共振周波数の第２周波数差内にあるかどうかを決定するステップと、前記電力管理信号周波数が前記第２共振周波数の第２周波数差内にあることに応答して、前記電力回路の出力電圧を、前記第１出力電圧と異なり、かつ前記第２出力電圧と異なる第３出力電圧に変化させるものである第２指示を提供するステップと、をさらに含む。
【００４８】
実施形態１７は、実施形態１２から１６のいずれか一つに記載の方法を実施する装置である。
【００４９】
実施形態１８は、実施形態１２から１６のいずれか一つに記載の方法を実施する手段を含む装置である。
【００５０】
実施形態１９は、プロセッサによって実行されると、前記プロセッサが、電力管理ロジックで、電力管理信号周波数を有する電力管理信号を受信し、前記電力管理信号周波数が第１共振周波数の第１周波数差内にあるかどうかを決定し、前記電力管理信号周波数が第１共振周波数の第１周波数差内にあることに応答して、電力回路の出力電圧を第１出力電圧から該第１出力電圧とは異なる第２出力電圧に切り替える、ようにするプロセッサ実行可能な命令を記憶しているコンピュータ読み取り可能媒体である。
【００５１】
実施形態２０は、実施形態１９の要素を含み、前記命令が、さらに、前記電力回路の出力電圧が前記第２出力電圧に切り替えられた後に、前記電力管理信号周波数が前記第１共振周波数の第１周波数差の範囲外にある第２電力管理信号周波数に変化するのに応答して、前記電力回路の出力電圧を前記第１出力電圧に切り替える、ようにさせる。
【００５２】
実施形態２１は、実施形態１９の要素を含み、前記命令が、さらに、前記電力管理信号周波数が前記第１周波数差の範囲内にあるときに、前記電力回路の出力電圧を前記第２出力電圧に切り替える前に、ブランク時間間隔が終了するのを待つ、ようにさせ、前記ブランク時間間隔は、前記電力管理信号周波数が前記第１共振周波数の前記第１周波数差内にあるという決定の最初の時間に開始する。
【００５３】
実施形態２２は、実施形態１９の要素を含み、前記命令が、さらに、前記電力管理信号周波数が第２共振周波数の第２周波数差内にあるかどうかを決定し、前記電力管理信号周波数が前記第２共振周波数の第２周波数差内にあることに応答して、前記電力回路の出力電圧を前記第１出力電圧及び前記第２出力電圧とは異なる第３出力電圧に変化させる、ようにさせる。
【００５４】
実施形態２３は、電力管理信号周波数を有する電力管理信号を受信する手段と、前記電力管理信号周波数が第１共振周波数の第１周波数差内にあるかどうかを決定する手段と、前記電力管理信号周波数が前記第１共振周波数の第１周波数差内にあることに応答して、電力回路の出力電圧を第１出力電圧から、該第１出力電圧とは異なる第２出力電圧に切り替えるようにする第１指示を提供する手段と、を含む装置である。
【００５５】
実施形態２４は、実施形態２３の要素を含み、前記電力回路の出力電圧が前記第２出力電圧に切り替えられた後に、前記電力管理信号周波数が前記第１共振周波数の第１周波数差の範囲外にある第２電力管理信号周波数に変化するのに応答して、前記電力回路の出力電圧を前記第１出力電圧に切り替えさせるようにするものである第２指示を提供する手段をさらに含む。
【００５６】
実施形態２５は、実施形態２３の要素を含み、前記電力管理信号周波数が前記第１共振周波数の第１周波数差内にあるとき、前記電力回路の出力電圧を、ブランク時間間隔が終了すると、前記第１出力電圧から前記第２出力電圧に切り替える手段をさらに含む。
【００５７】
実施形態２６は、実施形態２３の要素を含み、前記第２出力電圧は、前記第１出力電圧よりも高い。
【００５８】
実施形態２７は、実施形態２３の要素を含み、前記電力管理信号周波数が第２共振周波数の第２周波数差内にあるかどうかを決定する手段と、前記電力管理信号周波数が前記第２共振周波数の第２周波数差内にあることに応答して、前記電力回路の出力電圧を、前記第１出力電圧と異なり、かつ前記第２出力電圧と異なる第３出力電圧に変化させるものである第２指示を提供する手段と、をさらに含む。
【００５９】
実施形態２８は、周波数帯域内で選択可能な信号周波数を有する信号を生成する周波数生成ロジックと、前記信号を電源に出力する第１ピンと、前記電源からの第１電圧で第１電力を受ける第２ピンと、前記周波数生成ロジックによって前記第１ピンに供給された電流を測定する電流測定ロジックと、を含み、前記周波数生成ロジックは、前記周波数帯域内で前記信号周波数を変化させるものであり、前記信号周波数が前記周波数帯域の第１周波数に近接しているときに、前記電流測定ロジックによって検出された前記電流における第１増加に応答して、前記周波数生成ロジックは、該第１周波数に近接した第１ロック周波数で前記信号周波数をロックし、前記第２ピンは前記電源から第２電圧で第２電力を受けるものである、装置である。
【００６０】
実施形態２９は、実施形態２８の要素を含み、前記第１ピン及び前記第２ピンを含むユニバーサルシリアルバス（ＵＳＢ）ポートをさらに含み、前記ＵＳＢポートは、前記電源のＵＳＢコネクタに結合する。
【００６１】
実施形態３０は、実施形態２８の要素を含み、前記信号周波数が前記周波数帯域の第２周波数に近接しているときに、前記電流測定ロジックによって検出された前記電流における第２増加に応答して、前記周波数生成ロジックは、該第２周波数に近接した第２ロック周波数で前記信号周波数をロックし、前記第２ピンは前記電源から第３電圧で第３電力を受けるものである。
【００６２】
実施形態３１は、装置の信号生成ロジックによって、周波数帯域内で選択可能な信号周波数を有する信号を生成するステップと、前記信号を電源に出力するステップと、前記装置によって、前記電源からの第１電圧で第１電力を受けるステップと、前記装置の電流測定ロジックによって、前記周波数生成ロジックによって前記第１ピンに供給された電流を測定するステップと、前記周波数帯域内で前記信号周波数を変化させるステップと、前記信号周波数が前記周波数帯域の第１周波数に近接しているときに、前記電流における第１増加の検出に応答して、該第１周波数に近接した第１ロック周波数で前記信号周波数をロックするステップと、を含み、前記第１ロック周波数で前記信号周波数をロックすると、前記電源から第２電圧で第２電力を受けるものである、方法である。
【００６３】
実施形態３２は、実施形態３１の要素を含み、前記信号周波数が前記周波数帯域の第２周波数に近接しているときに、前記電流における第２増加の検出に応答して、該第２周波数に近接した第２ロック周波数で前記信号周波数をロックするステップをさらに含み、前記第２ロック周波数で前記信号周波数をロックすると、前記電源から第３電圧で第３電力を受けるものである。
【００６４】
実施形態は、多くの異なるタイプのシステムで使用されることができる。例えば、一実施形態では、通信装置は、本明細書で説明した様々な方法及び技術を実行するように構成することができる。もちろん、本発明の範囲は、通信装置に限定されず、代わりに、他の実施形態は、命令を処理するための他のタイプの装置、又はコンピュータデバイス上で実行されるのに応答して、装置に本明細書で説明した一つ以上の方法及び技術を実行させる命令を含む一つ以上の機械読み取り可能媒体
【００６５】
実施形態は、コードで実装されることができ、命令を実行するシステムをプログラムするために使用されることができる命令を記憶している非一時的な記憶媒体に記憶されることができる。実施形態はまた、データで実装されることができ、少なくとも１つの機械によって使用される場合、その少なくとも１つの機械に１つ以上の動作を実行するために少なくとも１つの集積回路を製造させる非一時的な記憶媒体に記憶されることができる。記憶媒体は、フロッピーディスク、光ディスク、ソリッドステートドライブ（ＳＳＤ）、コンパクトディスクリードオンリメモリ（ＣＤ−ＲＯＭ）、コンパクトディスクリライタブル（ＣＤ−ＲＷ）、光磁気ディスク等を含む任意のタイプのディスク、リードオンリメモリ（ＲＯＭ）、ダイナミックランダムアクセスメモリ（ＤＲＡＭ）、スタティックランダムアクセスメモリ（ＳＲＡＭ）等のランダムアクセスメモリ（ＲＡＭ）、消去可能なプログラマブルリードオンリーメモリ（ＥＰＲＯＭ）、フラッシュメモリ、電気的消去可能なプログラマブルリードオンリーメモリ（ＥＥＰＲＯＭ）等の半導体デバイス、磁気又は光カード、又は電子命令を記憶するのに適した他の任意のタイプの媒体を含むことができるが、これらに限られない。
【００６６】
本発明を限定された数の実施形態に関して説明したが、当業者であれば、これの多くの変更及び変形が可能であることを理解するであろう。添付の特許請求の範囲は、本発明の真の精神及び範囲内に含むように、そのような修正及び変形の全てをカバーすることが意図されている。
【図１】
0006612350.tif 000002
【図２】
0006612350.tif 000003
【図３】
0006612350.tif 000004
【図４】
0006612350.tif 000005